(57)【要約】【課題】  固形石鹸が減って小さくなっても使用し易く、最後まで有効に使い切ることができるように補助する石鹸の使用具を提供する。【解決手段】  通貫通孔１１５を有する収容本体１１０の一端開口側を塞ぐように、網目を有する多孔体１３０を取り付けることにより、固形石鹸Ｓを収容するための凹状収容部が形成された基体１００を構成する。また、上記収容本体１１０の通貫通孔１１５内に収容可能な大きさ及び形状に構成した押圧体１２０を準備することにより固形石鹸使用具１０とする。そして、この押圧体１２０を通貫通孔１１５の他端開口側より挿通し、通貫通孔１１５内に収容された固形石鹸Ｓを多孔体１３０側へ向かって押圧可能とする。【選択図】図１
2005342316.tif 000002
【特許請求の範囲】
【請求項１】
網目を有する多孔体と、上記多孔体側へ向かって押圧して固形石鹸を挟み込む押圧体とから構成されていることを特徴とする固形石鹸使用具。
【請求項２】
前記多孔体は、固形石鹸を収容するための貫通孔が形成された収容本体の当該貫通孔の一端開口部側に取り付けられ、前記押圧体は、上記収容本体に形成された貫通孔内に収容可能な大きさ及び形状に構成され、当該貫通孔の他端開口部側より挿通して収容される固形石鹸を上記多孔体側へ向かって押圧することで当該固形石鹸を挟み込むことを特徴とする請求項１に記載の固形石鹸使用具。
【請求項３】
前記貫通孔は、垂直線に対して所定の角度を有し、前記押圧体は、上記貫通孔と同様の角度を持って構成されていることを特徴とする請求項２に記載の固形石鹸使用具。
【請求項４】
前記押圧体は、貫通孔内に収容する際に押圧される背側に、前記貫通孔の開口側周縁部に係止される鍔部を有することを特徴とする請求項２または３に記載の固形石鹸使用具。
【請求項５】
前記押圧体は、貫通孔内に収容される挿入部が、貫通孔内に収容された前記固形石鹸を押圧する押圧部と、この押圧部を前記底部に設けられた多孔体側へ弾性的に付勢して押圧する弾性部材とから構成されていることを特徴とする請求項４に記載の固形石鹸使用具。
【請求項６】
前記収容本体は、底部に複数の小突起を有していることを特徴とする請求項２から５の何れかに記載の固形石鹸使用具。
【請求項７】
前記収容本体は、側面に把握用凹凸部が形成されていることを特徴とする請求項２から６の何れかに記載の固形石鹸使用具。
【請求項８】
前記押圧体は、押圧面に複数の係止突起を有していることを特徴とする請求項２から７の何れかに記載の固形石鹸使用具。
【請求項９】
前記押圧体は、互いに係合する一対の係止部の一方が形成された構造であり、前記多孔体は、上記押圧体の押圧面を被覆可能な大きさ及び形状に構成され、上記係止部の他方が設けられた枠体に取り付けられ、上記多孔体と上記押圧体との間に固形石鹸を配置し、互いの係止部同士を係合することで当該固形石鹸を挟み込むことを特徴とする請求項１に記載の固形石鹸使用具。
【請求項１０】
前記押圧体は、側面に把握用凹凸部が形成されていることを特徴とする請求項９に記載の固形石鹸使用具。
【請求項１１】
前記押圧体は、押圧面に複数の係止突起を有していることを特徴とする請求項９または１０に記載の固形石鹸使用具。
【発明の詳細な説明】
【技術分野】
【０００１】
本発明は、固形石鹸を綺麗に使い切ることができるようにした器具であり、特に小さくなって使いづらくなった固形石鹸でも容易に最後まで有効に使い切ることができるようにした補助具に関する。
【背景技術】
【０００２】
従来、浴室や洗面所等で固形の石鹸（以下、単に「石鹸」という。）が使われているが、この石鹸は、一般的に不使用時には底面に水切り穴を複数有する皿状の容器に収容されている。そして、石鹸の使用時にこの皿状容器内から適宜手で取り出して用いている。
【０００３】
ところが、従来の石鹸収容容器では、石鹸を収容することを目的としていることから小さくなった石鹸の使用し易さについては何ら考慮されていない。そのため、石鹸が大きい間は特に問題はないが、消費により次第に小さくなってしまった石鹸は使いづらく、最後まで有効に使い切ることができなかった。そして、このような小さくなってしまった石鹸は、未だ十分使用できるのに廃棄してしまう場合が多く、非常に不経済であった。
【０００４】
また、小さくなってしまった石鹸は収容容器から取り出しづらく、さらに、使用時に変形してしまったり、ひびが入って割れてしまったりして、一層使い切りづらい状態となってしまうものであった。
【０００５】
そこで、小さくなってしまった石鹸を使い易くするようにした収容容器として、たとえば、底面に孔を有した筒形状の容器本体と、この底面に取り外し可能な底板を備えるようにしたものが提案されている（特許文献１参照）。
【０００６】
【特許文献１】実用新案登録第３０８９８０７号公報
【発明の開示】
【発明が解決しようとする課題】
【０００７】
しかしながら、上記手段は、小さくなった石鹸を容器内に集めて溜めておき、所定量になったら外側より指で押圧して小さくなった石鹸同士を圧着させて大きく形作って使い易くするものであり、小さくなった石鹸そのものを使い易くするものではない。
【０００８】
本発明の目的は、石鹸が消費され小さくなっても使用し易く、最後まで有効に使い切ることができるように補助する石鹸の使用具を提供することにある。また、本発明は、小さくなってしまった石鹸の収容容器からの取り出しづらさや、使用しづらさを解消することをも目的とする。
【課題を解決するための手段】
【０００９】
上記目的を達成するため、本発明の固形石鹸使用具は、網目を有する多孔体と、上記多孔体側へ向かって押圧して固形石鹸を挟み込む押圧体とから構成されていることを特徴とする。
これにより、使用により減って小さくなった固形石鹸は、上記押圧体と上記多孔体との間に挟まれ、多孔体の網目より露出した部分より使用されることになる。
したがって、小さくなった石鹸を使用の度に容器内から取り出す必要なく、また、小さくなった石鹸が変形したり、ひび割れしたりすること無く、固形石鹸使用具の多孔体側を肌に当てて擦ることで、石鹸を有効に使い切ることができる。
【００１０】
また、本発明の上記固形石鹸使用具は、具体的に大きく二つに分けることが出来る。一方は、前記多孔体が、固形石鹸を収容するための貫通孔が形成された収容本体の当該貫通孔の一端開口部側に取り付けられ、前記押圧体が、上記収容本体に形成された貫通孔内に収容可能な大きさ及び形状に構成され、当該貫通孔の他端開口部側より挿通して収容される固形石鹸を上記多孔体側へ向かって押圧することで当該固形石鹸を挟み込むことを特徴とする。
【００１１】
これにより、使用により減って小さくなった固形石鹸は、収容本体に形成された貫通孔内に複数収容することが可能となり、一方の面がこの貫通孔内に収容される押圧体により押圧されることで、他方の面が底部を構成する多孔体に押し付けられ、多孔体の網目より露出した部分より使用されることになる。
したがって、小さくなった石鹸をまとめて有効に使い切ることができる。
【００１２】
また、本発明では、前記貫通孔は、垂直線に対して所定の角度を有し、前記押圧体は、上記貫通孔と同様の角度を持って構成されるようにしても良い。これにより、貫通孔内に収容される押圧体の移動方向と、使用時に押圧される石鹸の押圧方向とが角度を持って交わるので、使用時に多孔体側から石鹸を押圧すると、石鹸の一方の面を押圧している押圧体が押されてその側面と上記貫通孔の側面とが接触して擦れ合い、石鹸が貫通孔内に引っ込んで使いづらくなってしまうことが防止されるものとなる。
【００１３】
また、本発明では、前記押圧体は、貫通孔内に収容する際に押圧される背側に、前記貫通孔の開口側周縁部に係止される鍔部を有するようにしても良い。これにより、押圧体を背側から押圧しても、その鍔部が前記収容本体に形成された貫通孔の開口側周縁部に係止されて必要以上に貫通孔内に嵌ってしまうことが防止される。したがって、押圧体が貫通孔内にすっぽり嵌って貫通孔内から取り出しづらくなってしまうことが無くなり、容易に押圧体を取り外して石鹸の補充を行うことが出来る。
また、押圧体が必要以上に貫通孔内に嵌ってしまうことがないので、押圧体が押圧されて多孔体側に飛び出し多孔体を破損させてしまったり、多孔体側から飛び出した押圧体で肌を傷つけてしまったりすることも防止することが出来る。
【００１４】
また、本発明では、前記押圧体は、貫通孔内に収容される挿入部が、貫通孔内に収容された前記固形石鹸を押圧する押圧部と、この押圧部を前記底部に設けられた多孔体側へ弾性的に付勢して押圧する弾性部材とから構成されるようにしても良い。これにより、使用時に多孔体側から石鹸を押圧すると、石鹸の一方の面を押圧している押圧体の押圧部が押され、さらに押圧部を押した力が弾性部材によって吸収され、押圧部の背側からの押圧とのバランスを取って適度な押圧力でもって石鹸を押圧することが出来る。
【００１５】
また、本発明では、前記収容本体は、底部に複数の小突起を有しているものとしても良い。これにより、使用時に上記小突起が肌と触れることで肌に対して刺激を与え、指圧効果をもたらすことが出来る。
【００１６】
また、本発明では、前記収容本体は、側面に把握用凹凸部が形成されるようにしても良い。これにより、使用時に指が把握用凹凸部に収まり、固形石鹸使用具の移動時に指が把握用凹凸部に係止され、無闇に手が滑ること無く扱い易いものとなる。
【００１７】
また、本発明では、前記押圧体は、押圧面に複数の係止突起を有しているものとしても良い。これにより、押圧体での固形石鹸の押圧時に、貫通孔内に収容された固形石鹸が無闇に動かないように貫通孔内での動きを制御することが出来る。
【００１８】
また、具体的な本発明の固形石鹸使用具の他方は、前記押圧体は、互いに係合する一対の係止部の一方が形成された構造であり、前記多孔体は、上記押圧体の押圧面を被覆可能な大きさ及び形状に構成され、上記係止部の他方が設けられた枠体に取り付けられ、上記多孔体と上記押圧体との間に固形石鹸を配置し、互いの係止部同士を係合することで当該固形石鹸を挟み込むことを特徴とする。これにより、上記多孔体と上記押圧体との間に固形石鹸を配置し両者を合わせて取り付けることで、使用により減って小さくなった固形石鹸を簡易な構造で収容し、当該固形石鹸を多孔体に押し付けて多孔体の網目より露出した部分より使用することが出来る。
【００１９】
また、本発明では、前記押圧体は、側面に把握用凹凸部が形成されているものとしても良い。これにより、使用時に指が把握用凹凸部に収まり、固形石鹸使用具の移動時に指が把握用凹凸部に係止され、無闇に手が滑ること無く扱い易いものとなる。
【００２０】
さらに、本発明では、前記押圧体は、押圧面に複数の係止突起を有しているものとしても良い。これにより、固形石鹸使用具の使用時に、上記多孔体と上記押圧体との間に挟まれた固形石鹸が無闇に動かないように当該固形石鹸の動きを制御することが出来る。
【発明の効果】
【００２１】
本発明によれば、石鹸が小さくなっても、小さくなった石鹸を収容本体内に収容して押圧体で押圧したり、押圧体と多孔体との間に挟んだりしたりすることで最後まで有効に使い切ることができるようになるので、非常に機能的かつ経済的である。
しかも、本発明は、石鹸を容器から取り出す必要が無いので、小さくなった石鹸の容器からの取り出しづらさが解消されると共に、小さくなってしまった石鹸が使用時に変形してしまったり、ひびが入って割れてしまったりして、一層使い切りづらい状態となってしまうことも無くなり、最後まで有効に使い切ることができるようになる。
【発明を実施するための最良の形態】
【００２２】
以下、本発明の一実施の形態を図１から図３に基づき説明する。
図１は、本実施の形態に係る固形石鹸使用具の全体の構造を説明する斜視図である。図２は、本実施の形態に係る固形石鹸使用具の基体の構造を説明する平面図である。図３は、本実施の形態に係る固形石鹸使用具の基体と押圧体の関係を説明する縦断面図である。
【００２３】
図１及び図２に示すように、本実施形態の固形石鹸使用具１０は、石鹸Ｓを収容するための貫通孔１１５が形成された収容本体１１０と、この収容本体１１０に形成された貫通孔１１５の一端開口部に取り付けられた網目を有する多孔体１３０と、上記収容本体１１０に形成された貫通孔１１５内に収容可能な大きさ及び形状に構成され、この貫通孔１１５の他端開口部側より挿通して収容される固形石鹸Ｓを上記多孔体１３０側へ向かって押圧する押圧体１２０とから構成されている。
【００２４】
図２に示すように、収容本体１１０は平面楕円形をした、例えば木製の収容体であり、この収容本体１１０に形成された貫通孔１１５の一端開口部に多孔体１３０を取り付けることにより底部を設け、凹状の収容部が形成された基体１００を構成する。また、多孔体１３０は、収容本体１１０の貫通孔１１５内に収容する石鹸Ｓを通さない程度の大きさの網目状をした多数の孔を有する、例えばナイロンやセルロース、麻等のような柔軟な素材（例えば、ネットや網）よりなる。
【００２５】
すなわち、図２及び図３に示すように、基体１００は、石鹸Ｓを収容するのに十分な大きさの貫通孔１１５を有する収容本体１１０と、当該貫通孔１１５の図示底部側を塞ぐように取り付けられた多孔体１３０とから構成されている。したがって、基体１００は多孔体１３０を有さないと底部を欠くことになり、貫通した大きな孔が形成されたものとなる。
そして、この収容本体１１０は、抗菌、防カビ、消臭を目的としてヒノキ製とすると望ましい。なお、収容本体１１０は木製に限らず、プラスチックやゴム、シリコン等により構成しても良い。
【００２６】
また、図３に示すように、多孔体１３０はその縁部１３０ａが収容本体１１０の底部１１１、言い換えれば収容本体１１０に形成される貫通孔１１５の図示底部側開口縁部に取り付けられている。なお、この多孔体１３０はその縁部１３０ａを、収容本体１１０に形成された貫通孔１１５の内側面１１２から底部１１１に渡って取り付けるようにしても良い。もっとも、上記押圧体１２０が貫通孔１１５内で移動することによって当該縁部１３０ａが剥がれてしまわないように、前述した収容本体１１０の底部１１１に取り付けるようにすることが望ましい。
【００２７】
なお、収容本体１１０は、図３では底部１１１が平坦なものとなっているが、若干膨らみを持たせるようにしても良い。これにより、多孔体１３０が取り付けられた上記底部１１１を肌に当てて擦ることがスムーズに行えることとなる。
【００２８】
一方、押圧体１２０は、収容本体１１０と同様の材質により構成され、上記凹状の収容部が形成された基体１００の開口側より挿通し、その背側１２４を押圧することで押圧面１２１により収容本体１１０の貫通孔１１５内に収容された石鹸Ｓを多孔体側１３０へ向かって押圧するように操作する。この押圧体１２０は、図１に示すように、連結具としての紐体１４０により基体１００（収容本体１１０）の上部と繋がれ一体となっている。
なお、押圧体１２０は、収容本体１１０と異なる材質により構成しても良い。
【００２９】
このように構成された固形石鹸使用具１０は、まず、消費して小さくなった石鹸Ｓを基体１００に形成された凹状の収容部、すなわち収容本体１１０の貫通孔１１５内に収容し、収容した石鹸Ｓの上から押圧体１２０を被せるように貫通孔１１５の開口側より挿通する。そして、上記凹状の収容部を塞ぐように被せて取り付けた押圧体１２０の背側１２４を掌で押圧するように基体１００を片手で把握し、石鹸Ｓを多孔体１３０側へ向かって押圧するように操作する。これにより、小さくなった石鹸Ｓは多孔体１３０によって凹状の収容部内に確実に保持されたまま外に飛び出すことがなく、この多孔体１３０側を肌に当てて擦ることで最後まで完全に使い切ることができる。
【００３０】
また、押圧体１２０は、図３では押圧面１２１及び背側１２４が平坦なものとなっているが、何れか一方もしくは両方とも若干膨らみを持たせるようにしても良い。これにより、押圧面１２１に膨らみを持たせることで、石鹸Ｓをより外側に押し出して最後まで完全に使い切ることができる。また、背側１２４に膨らみを持たせることで、片手で把握した際に掌にフットして扱い易いものとすることが出来る。
【００３１】
また、上記凹状の収容部内に複数の石鹸Ｓ・・Ｓを一緒に入れて使用することができる。これにより、小さくなった石鹸を複数個入れて恰も一個の石鹸のようにして使用することができる。
また、多孔体１３０を用いることにより、直接石鹸を肌に付けて擦ることで気泡ができるため泡立ちが良くなり、スポンジやタオルが不要となる。
【００３２】
なお、上記実施の形態に代えて、貫通孔を斜めにして垂直線に対して所定の角度をつけると共に、押圧体を上記貫通孔と同様の角度を持って構成するようにしても良い。
図４は、固形石鹸使用具の基体と押圧体の他の関係を説明する縦断面図である。図４に示すように、基体２００は、収容本体２１０に形成された貫通孔２１５の内側面２１２が、底部へ向かって傾斜するように断面平行四辺形状に構成しても良い。これによって、貫通孔２１５内に収容可能な大きさ及び形状をする押圧体２２０も、断面平行四辺形状に構成される。
【００３３】
そして、押圧体２２０を貫通孔２１５の側面２１２が傾斜する方向と同じ斜めの方向より挿通することで、押圧体を押圧する方向と多孔体側を肌に当てることで押圧体が押し返される方向、すなわち、貫通孔２１５内に収容される押圧体２２０の移動方向Ｐと、使用時に押圧される石鹸の押圧方向ｐとが角度を持って交わるので、押圧体２２０の側面２２２と上記貫通孔２１５を形成する側面２１２とが接触して擦れ合い、押圧体２２０の動きが規制されて石鹸Ｓが無闇に貫通孔２１５内に引っ込んで使いづらくなってしまうことが防止されるものとなる。
【００３４】
また、本発明では、図５に示すように、押圧体３２０を基体３００の貫通孔３１５内に収容する際に、押圧する押圧体３２０の背側３２４に、当該貫通孔３１５の開口側周縁部３１６に係止される鍔部３２６を有するようにしても良い。
【００３５】
この鍔部３２６は、押圧体３２０における上部側の径を大きく設計することで容易に形成できる。
そして、鍔部３２６が係止する開口側の段部３１６は、図５に示すように、収容本体３１０の貫通孔３１５の開口側を拡げることで段差を設けて形成しても良いし、収容本体３１０の上面３１４としても良い。
【００３６】
これにより、押圧体３２０を背側３２４から押圧しても、その鍔部３２６が基体３００に形成された貫通孔３１５の上記段部３１６に係止されて必要以上に貫通孔３１５内に嵌ってしまうことがなく、押圧体３２０が凹部３１５内にすっぽり嵌って貫通孔３１５内から取り出しづらくなってしまうことが無くなる。
【００３７】
また、本発明では、図６に示すように、押圧体４２０の貫通孔内に収容される挿入部４２９が、貫通孔内に収容された前記石鹸を押圧する押圧部４２７と、この押圧部４２７を基体の底部に設けられた多孔体側へ弾性的に付勢して押圧する弾性部材としてのコイルバネ４２８とから構成しても良い。
【００３８】
図６に示すように、この押圧部４２７は、押圧体４２０の背側４２４より幅小の円板状に形成されている。これにより、押圧体４２０を貫通孔内に収容した際、上記背側４２４の縁部４２６が当該貫通孔の開口側周縁部に係止される鍔部として作用するものとなる。そして、石鹸はコイルバネ４２８による適度な押圧力でもって押圧体４２０の押圧部４２７により押圧される。
【００３９】
また、本発明では、図７に示すように、収容本体１１０の底部１１１外側に複数の小突起１５０・・１５０を取り付けても良い。
この小突起１５０は、適度な弾性を有するゴム材よりなる。したがって、使用時にこの小突起１５０が肌と触れることで肌に対して刺激を与え、指圧効果をもたらすことが出来る。なお、小突起１５０は適度な固さを有するプラスチックやゴム、シリコン等により構成しても良い。
【００４０】
また、本発明では、図８に示すように、収容本体５１０の外側面に把握用凹凸部５１７，５１７を形成しても良い。
この把握用凹凸部５１７は波状に形成され、ちょうど使用時に指が収まり係止される形状をしている。これにより、固形石鹸使用具の移動時に指が把握用凹凸部５１７に係止され、固形石鹸使用具から無闇に手が滑ること無く、扱い易いものとすることが出来る。
【００４１】
また、本発明では、図９に示すように、押圧体６２０の押圧面６２１に複数の係止突起６５０・・６５０を設けても良い。
この係止突起６５０は、針状もしくは角張った形状をしている。したがって、押圧体６２０の押圧面６２１での石鹸Ｓの押圧時に、押圧面６２１に設けられた係止突起６５０が石鹸Ｓの表面に若干食い込み、使用時に当該石鹸Ｓが押圧面６２１からズレて無闇に動かないようにその動きを制御することが出来る。これにより、一層最後まで完全に石鹸Ｓを使い切ることができる。
【００４２】
なお、上記実施の形態では、何れも収容本体の形状が平面楕円形をした基体について説明したが、本発明はこれに限らず、例えば図１０に示すように、収容本体７１０Ａの形状が平面ハート形をした基体７００Ａとしたり（（ア）参照）、収容本体７１０Ｂの形状が平面三角形をした基体７００Ｂとしたり（（イ）参照）、収容本体７１０Ｃの形状が平面亀甲六角形をした基体７００Ｃとしたり（（ウ）参照）しても良い。このような形状とすることにより、基体の外側面に把握用凹凸部が自然に形成され、意図的に把握用凹凸部を形成しなくとも、固形石鹸使用具を把握操作し易いものとすることができる。
【００４３】
また、本発明の他の実施形態の固形石鹸使用具２０は、図１１に示すように、凹状溝からなる係止部８７０が形成された構造の押圧体８２０と、上記押圧体８２０の押圧面８２１を被覆可能な大きさ及び形状に構成され、上記係止部８７０と係合可能な凸状突起からなる係止部８６０を有する枠体８００に取り付けられた多孔体８３０とからなり、上記多孔体８３０と上記押圧体８２０との押圧面８２１の間に石鹸Ｓを配置し、互いの係止部８６０，８７０同士を係合することで当該石鹸Ｓを挟み込むようにすることも出来る。なお、係止部８７０が形成された押圧体８２０と、係止部８６０を有する枠体８００に取り付けられた多孔体８３０とは、蝶番によって連結されていても良い。
【００４４】
この際、多孔体８３０は、前記実施形態の固形石鹸使用具１０の場合と同様に、石鹸Ｓを通さない程度の大きさの網目状をした多数の孔を有する、例えばナイロンやセルロース等のような柔軟な素材（例えば、ネットや網）よりなる。
また、押圧体８２０もやはり抗菌、防カビ、消臭を目的としてヒノキ製とすると望ましい。なお、押圧体８２０は木製に限らず、プラスチックやゴム、シリコン等により構成しても良い。
【００４５】
また、本発明では、図１２に示すように、押圧体９２０の外側面に把握用凹凸部９１７，９１７を形成しても良い。
この把握用凹凸部９１７は波状に形成され、ちょうど使用時に指が収まり係止される形状をしている。これにより、固形石鹸使用具２０の移動時に指が把握用凹凸部９１７に係止され、固形石鹸使用具２０から無闇に手が滑ること無く、扱い易いものとすることが出来る。
【００４６】
さらに、本発明では、図１１に示すように、押圧体８２０の押圧面８２１に複数の係止突起８５０・・８５０を設けても良い。
この係止突起８５０は、針状もしくは角張った形状をしている。したがって、押圧体８２０の押圧面８２１と多孔体８３０での石鹸Ｓの挟持時に、押圧面８２１に設けられた係止突起８５０が石鹸Ｓの表面に若干食い込み、使用時に当該石鹸Ｓが押圧面８２１からズレて無闇に動かないようにその動きを制御することが出来る。これにより、最後まで完全に石鹸Ｓを使い切ることができる。
【図面の簡単な説明】
【００４７】
【図１】本発明の実施の形態に係る固形石鹸使用具の全体の構造を説明する斜視図である。図である。
【図２】本発明の実施の形態に係る固形石鹸使用具の基体の構造を説明する平面図である。
【図３】本発明の実施の形態に係る固形石鹸使用具の基体と押圧体の関係を説明する縦断面図である。
【図４】本発明の実施の形態に係る固形石鹸使用具の他の基体と押圧体の関係を説明する縦断面図である。
【図５】本発明の実施の形態に係る固形石鹸使用具のさらに他の基体と押圧体の関係を説明する縦断面図である。
【図６】本発明の実施の形態に係る固形石鹸使用具の押圧体の他の構造を示す縦断面図である。
【図７】本発明の実施の形態に係る固形石鹸使用具の基体の他の構造を示す底面図である。
【図８】本発明の実施の形態に係る固形石鹸使用具の基体のさらに他の構造を示す底面図である。
【図９】本発明の実施の形態に係る固形石鹸使用具の押圧体のさらに他の構造を示す縦断面図である。
【図１０】（ア）乃至（ウ）本発明の実施の形態に係る固形石鹸使用具の収容本体の他の形状をそれぞれ示す平面図である。
【図１１】本発明の他の実施の形態に係る固形石鹸使用具の押圧体と多孔体との関係を説明する縦断面図である。
【図１２】本発明の他の実施の形態に係る固形石鹸使用具の押圧体の他の構造を示す底面図である。
【符号の説明】
【００４８】
Ｓ・・・固形石鹸、１０，２０・・・固形石鹸使用具、１００・・・基体、１１０・・・収容本体、１１１・・・（収容本体）底部、１１２・・・（収容本体）側面、１１５・・・貫通孔、１２０，８２０・・・押圧体、１２１・・・押圧面、１２４・・・（押圧体）背側、１３０，８３０・・・多孔体、１３０ａ・・・（多孔体）縁部、１４０・・・連結具、１５０，８５０・・・小突起、３１６・・・（収容本体）開口部段部、３２６・・・鍔部、４２７・・・押圧部、４２８・・・弾性部材、４２９・・・挿入部、５１７，９１７・・・把握用凹凸部、６５０・・・係止突起、８６０，８７０・・・係止部。
【図１】
2005342316.tif 000003
【図２】
2005342316.tif 000004
【図３】
2005342316.tif 000005
【図４】
2005342316.tif 000006
【図５】
2005342316.tif 000007
【図６】
2005342316.tif 000008
【図７】
2005342316.tif 000009
【図８】
2005342316.tif 000010
【図９】
2005342316.tif 000011
【図１０】
2005342316.tif 000012
【図１１】
2005342316.tif 000013
【図１２】
2005342316.tif 000014